(57)【要約】【課題】導入された塵埃が巻き付くことなく、騒音の発生および使用の経過にともなう吸込効率の低下が抑制された塵埃分離室を備えた電気掃除機を提案する。【解決手段】電気掃除機１は、掃除機本体２の外部に連通された塵埃導入管３８と、略円筒形状または略中空円錐台形状に形成され互いに対向させた略平坦な２つの内底面６６ａ、６６ｃと底面６６ａに開口された渦流通過口７２とを有し側面部６６ｂの接線方向に指向させて塵埃導入管３８が接続された塵埃分離室胴部６６と、渦流通過口７２に接続された分離室排気管６７と、渦流通過口７２を閉じ略平坦なろ過面７３ａを有する網状のメッシュフィルタ７３と、側面部６６ｂの接線方向に指向させて接続された塵埃廃棄管３９と、塵埃廃棄管３９に接続され塵埃を捕集する集塵ユニット３４と、分離室排気管６７および集塵ユニット３４に連通されそれぞれに負圧を作用させる電動送風機７と、を備える。【選択図】  図４
2011036377.tif 000002
【特許請求の範囲】
【請求項１】
掃除機本体と、
前記掃除機本体の外部に連通され含塵空気を前記掃除機本体の外部から内部に導く導入管部と、
略円筒形状または略中空円錐台形状に形成され互いに対向させた略平坦な２つの内底面と前記底面のいずれかに開口された排気口とを有し側面の接線方向に指向させて前記導入管部が接続された塵埃分離室部と、
前記排気口に接続された排気管部と、
前記排気口を閉じ略平坦なろ過面を有する網状のフィルタ部と、
前記塵埃分離室の側面の接線方向に指向させて接続された塵埃廃棄管部と、
前記塵埃廃棄管に接続され塵埃を捕集する集塵室部と、
前記掃除機本体に収容され前記排気管部および前記集塵室部に連通されそれぞれに負圧を作用させる電動送風機と、を備えたことを特徴とする電気掃除機。
【請求項２】
前記導入管部は、前記塵埃分離室部の側面に連続させて形成されその接線方向に延びる第一内壁面と、第一内壁面に対向させて配置されその延長方向が前記塵埃分離室の中心軸を通る第２内壁面と、を有することを特徴とする請求項１に記載の電気掃除機。
【請求項３】
塵埃廃棄管部は、前記導入管部に並設されたことを特徴とする請求項１または２に記載の電気掃除機。
【請求項４】
前記排気口は、前記塵埃分離室部の底面と同心の円形状に開口されたことを特徴とする請求項１から３のいずれか１項に記載の電気掃除機。
【請求項５】
前記排気口は、前記塵埃分離室部の底面の略全面に亘って開口されたことを特徴とする請求項１から４のいずれか１項に記載の電気掃除機。
【請求項６】
前記フィルタ部のろ過面の裏面側に形成され前記フィルタ部を前記排気口に固定させる保持部材を備えたことを特徴とする請求項１から５のいずれか１項に記載の電気掃除機。
【請求項７】
前記排気管部と前記電動送風機との間の連通を閉じ前記排気管部を大気に開放させ前記フィルタ部の裏面からろ過面に空気流を発生させて前記ろ過面を除塵させる除塵形態運転が可能に構成されたことを特徴とする請求項１から６のいずれか１項に記載の電気掃除機。
【請求項８】
前記塵埃廃棄管部に対向させかつ前記排気口が開口された底面に偏倚させて前記塵埃分離室部の側面に接続され前記除塵形態運転のとき前記塵埃分離室部に外気を導入可能なろ過面洗浄風導入管部を備えたことを特徴とする請求項７に記載の電気掃除機。
【請求項９】
前記排気管部および前記集塵室部と前記電動送風機との間に設けられ前記フィルタ部または前記集塵室部を通過する細塵が捕集される二次フィルタ部を備え、
前記除塵形態運転のとき前記二次フィルタ部と前記電動送風機との間の連通を閉じかつ前記二次フィルタ部と前記集塵室部との連通を閉じるとともに前記二次フィルタ部のろ過面を大気に開放させ前記二次フィルタ部のろ過面側の空間を前記ろ過面洗浄風導入管部に連通させて前記二次フィルタ部のろ過面を洗浄する空気流を発生させ前記ろ過面洗浄風導入管部を介して前記二次フィルタ部に捕集された塵埃を前記塵埃分離室部に導くことを特徴とする請求項８に記載の電気掃除機。
【発明の詳細な説明】
【技術分野】
【０００１】
本発明は、遠心分離式の塵埃分離室を備えた電気掃除機に関する。
【背景技術】
【０００２】
略筒状の塵埃分離室と、塵埃分離の内部の空気を吸い込む電動送風機と、を備えた電気掃除機が知られている。
【０００３】
塵埃分離室は、電動送風機が発生させた負圧によって塵埃を含んだ空気（含塵空気）を吸い込み旋回流を発生させる。そして、塵埃分離室は、旋回流によって含塵空気に作用する遠心力を利用し含塵空気から塵埃を分離する。
【０００４】
このような塵埃分離室は、分離後の塵埃を廃棄すると同時に分離後の空気を排気し電動送風機に吸い込ませる必要がある。そこで、従来の電気掃除機は、塵埃分離室から空気を排気させるに当たり、塵埃分離室の底部から突出させて例えば円錐形状に形成された立体型フィルタ部を備える。立体型フィルタ部は、旋回流の渦の中心部分に位置される（例えば、特許文献１参照。）。
【先行技術文献】
【特許文献】
【０００５】
【特許文献１】特開２００８−６８０３６号公報
【発明の概要】
【発明が解決しようとする課題】
【０００６】
従来の電気掃除機は、塵埃分離室の底部から突出させて例えば円錐形状に形成された立体型フィルタ部を備える。
【０００７】
このような従来の塵埃分離室は、含塵空気が塵埃分離室内に吸い込まれるとき、塵埃分離室の内側面に沿って含塵空気を案内し旋回流を発生させるのみならず、立体型フィルタ部に含塵空気の一部が衝突し吸込効率の低下や騒音の発生をともなう。
【０００８】
また、含塵空気に長い繊維状の塵埃（例えば毛髪）が含まれる場合に、旋回流によって立体型フィルタ部に長い繊維状の塵埃が巻き付き、フィルタの開口面積を低減させ吸込効率を低下させる。立体型フィルタ部に巻き付いた塵埃を除去するときに衛生上の問題もある。
【０００９】
さらに、含塵空気に細かい粉状の塵埃が含まれる場合に、立体型フィルタ部に含塵空気が衝突する部分に流れの淀む部分が生じフィルタの濾過面を細かい粉状の塵埃が付着しフィルタの開口面積を低減させ吸込効率の低下させる虞もある。
【００１０】
本発明は、導入された塵埃が巻き付くことなく、騒音の発生および使用の経過にともなう吸込効率の低下が抑制された塵埃分離室を備えた電気掃除機を提案する。
【課題を解決するための手段】
【００１１】
前記の課題を解決するため本発明に係る電気掃除機は、掃除機本体と、前記掃除機本体の外部に連通され含塵空気を前記掃除機本体の外部から内部に導く導入管部と、略円筒形状または略中空円錐台形状に形成され互いに対向させた略平坦な２つの内底面と底面のいずれかに開口された排気口とを有し側面の接線方向に指向させて前記導入管部が接続された塵埃分離室部と、前記排気口に接続された排気管部と、前記排気口を閉じ略平坦なろ過面を有する網状のフィルタ部と、前記塵埃分離室の側面の接線方向に指向させて接続された塵埃廃棄管部と、前記塵埃廃棄管に接続され塵埃を捕集する集塵室部と、前記掃除機本体に収容され前記排気管部および前記集塵室部に連通されそれぞれに負圧を作用させる電動送風機と、を備えたことを特徴とする。
【発明の効果】
【００１２】
本発明によれば、導入された塵埃が巻き付くことなく、騒音の発生および使用の経過にともなう吸込効率の低下が抑制された塵埃分離室を備えた電気掃除機を提案できる。
【図面の簡単な説明】
【００１３】
【図１】本発明の実施形態に係る電気掃除機の外観を示した斜視図。
【図２】本発明の実施形態に係る電気掃除機の掃除機本体を示した斜視図。
【図３】本発明の実施形態に係る電気掃除機の掃除機本体を示した斜視図。
【図４】本発明の実施形態に係る電気掃除機の塵埃分離部を示した斜視図。
【図５】本発明の実施形態に係る電気掃除機の塵埃分離部を示した部分的な断面図。
【図６】本発明の実施形態に係る電気掃除機のフィルタ取付部を示した斜視図。
【図７】本発明の実施形態に係る電気掃除機のフィルタ取付部を示した斜視図。
【図８】本発明の実施形態に係る電気掃除機の集塵ユニットを示した斜視図。
【図９】本発明の実施形態に係る電気掃除機の掃除モード運転における掃除機本体の空気流路の構成を模式的に示した図。
【図１０】本発明の実施形態に係る電気掃除機の除塵モード運転における掃除機本体の空気流路の構成を模式的に示した図。
【発明を実施するための形態】
【００１４】
本発明に係る電気掃除機の実施形態について図１から図１０を参照して説明する。
【００１５】
図１は、本発明の実施形態に係る電気掃除機の外観を示した斜視図である。
【００１６】
図１に示すように、電気掃除機１はいわゆるキャニスタ型の電気掃除機である。電気掃除機１は、被掃除面上に配置される掃除機本体２と、掃除機本体２に着脱自在に接続された管部３と、を備える。
【００１７】
掃除機本体２は、本体ケース５と、本体ケース５の側方に回転自在に軸支された車輪６と、本体ケース５に収容された電動送風機７と、電動送風機７の駆動を制御する制御部８と、電動送風機７に電力を導く電源コード９と、を備える。
【００１８】
本体ケース５は、ＡＢＳなどの合成樹脂を用いて形成される。本体ケース５は、一方（ここでは上方）を開口させた下ケース１１と、下ケース１１の開口を覆う上ケース１２と、下ケース１１または上ケース１２に揺動自在に設けられた本体蓋１３と、を備える。上ケース１２は、本体ケース５の外部に電源コード９を導出させるコード導出口（図示省略）を有する。
【００１９】
本体蓋１３は、管部３が着脱自在に接続された本体接続口１５を有する回転部１６を備える。本体接続口１５は、掃除機本体２の前上方に指向させて開口される。回転部１６は、本体接続口１５の開口方向を中心軸として回転自在に設けられる。
【００２０】
車輪６は、掃除機本体２の走行用の大径の走行輪であり、下ケース１１の両側方に回転自在に軸支される。
【００２１】
制御部８は、予め設定された複数の運転モードを有し管部３から入力される操作信号に基づいて任意の運転モードを択一的に選択し電動送風機７を駆動させる。それぞれの運転モードは電動送風機７の入力を互いに異ならせて設定される。
【００２２】
電源コード９の自由端部は、電源プラグ１７を備える。
【００２３】
管部３は、掃除機本体２から作用する負圧によって被掃除面から塵埃を含んだ空気（含塵空気）を吸い込み掃除機本体２に案内する。管部３は、掃除機本体２の本体接続口１５に着脱自在に接続された屈曲管である接続管１９と、接続管１９に連通され可撓性を有する集塵ホース２１と、集塵ホース２１に連通された手元操作管２２と、手元操作管２２から突出させて設けられた把持部２３と、把持部２３に設けられた操作部２４と、手元操作管２２に着脱自在に接続され連通された延長管２５と、延長管２５に着脱自在に接続され連通された吸込口体２６と、を備える。
【００２４】
集塵ホース２１は湾曲自在な細長略円筒状に形成される。集塵ホース２１の一端は、接続管１９に接続される。集塵ホース２１は、接続管１９を介して掃除機本体２の内部に連通される。
【００２５】
手元操作管２２の一端は、集塵ホース２１の他端に設けられる。手元操作管２２は、接続管１９および集塵ホース２１を介して掃除機本体２の内部に連通される。
【００２６】
把持部２３は、電気掃除機１のユーザが把持して電気掃除機１を操作するものである。把持部２３は、手元操作管２２の他端部から突出させて設けられ手元操作管２２の一端部に指向され湾曲させて形成される。
【００２７】
操作部２４は、制御部８に設定されたそれぞれの運転モードに対応させたスイッチを備える。具体的には、操作部２４は、電動送風機７を停止させる停止スイッチ２４ａと、電動送風機７の運転を開始させる起動スイッチ２４ｂと、を備える。電気掃除機１のユーザは、操作部２４を操作して電動送風機７の運転モードを択一的に選択できる。
【００２８】
延長管２５は、伸縮可能な細長略円筒状に形成される。延長管２５は、複数の筒状体を重ね合わせてテレスコピック構造に構成される。延長管２５の一端は、手元操作管２２の他端に着脱自在に接続される。延長管２５は、接続管１９、手元操作管２２および集塵ホース２１を介して掃除機本体２の内部に連通される。
【００２９】
吸込口体２６は、延長管２５の一端に着脱自在に接続される。吸込口体２６は、底面に吸込口（図示省略）を有する。吸込口体２６は、延長管２５、手元操作管２２および集塵ホース２１を介して掃除機本体２の内部に連通される。
【００３０】
図２は、本発明の実施形態に係る電気掃除機の掃除機本体を示した斜視図である。なお、図２は、本体蓋１３が開かれた状態を示した図である。
【００３１】
図２に示すように、電気掃除機１の掃除機本体２は、本体ケース５の内部に隔壁２９を備える。掃除機本体２は、本体ケース５の一方側（ここでは前方側）に偏倚させて本体蓋１３と隔壁２９とで区画された本体集塵室３１を有する。本体集塵室３１は、着脱自在に装着された集塵カップ３２を収容する。
【００３２】
また、掃除機本体２は、隔壁２９よりも本体ケース５の他方側（ここでは後方側）に偏倚させて区画された電動送風機室（図示省略）と、コードリール室（図示省略）と、を有する。
【００３３】
集塵カップ３２は、塵埃分離ユニット３３と、塵埃分離ユニット３３に着脱自在に装着された集塵ユニット３４（集塵室部）と、を備える。
【００３４】
塵埃分離ユニット３３は、本体集塵室３１が本体蓋１３によって閉じられると本体接続口１５に接続される塵埃分離部３６と、塵埃分離部３６に一体に形成されたフィルタ取付部３７と、を備える。
【００３５】
塵埃分離部３６は、掃除機本体２の幅方向略中央に配置され前上方に指向させて開口された塵埃導入管３８（導入管部）を備える。塵埃導入管３８は、本体集塵室３１が本体蓋１３によって閉じられると本体接続口１５に接続され掃除機本体２の外部に連通される。この状態のとき、塵埃導入管３８は、掃除機本体２の外部である管部３に吸い込まれた含塵空気を掃除機本体２の内部に導く。
【００３６】
図３は、本発明の実施形態に係る電気掃除機の掃除機本体を示した斜視図である。なお、図３は、本体蓋１３が開かれ、本体集塵室３１から集塵カップ３２が離脱され、集塵カップ３２から集塵ユニット３４を取り外した状態を示した図である。
【００３７】
図３に示すように、電気掃除機１の塵埃分離部３６は、塵埃導入管３８と、塵埃廃棄管３９（塵埃廃棄管部）と、集塵室排気管４１と、バイパス接続管４２と、を備える。
【００３８】
塵埃導入管３８は、導入管開閉弁４３を備える。導入管開閉弁４３は、塵埃分離部３６と掃除機本体２の外部との流路を連通または遮断させる。
【００３９】
塵埃廃棄管３９は、集塵ユニット３４に接続され連通される塵埃廃棄口４５を有する。
【００４０】
集塵室排気管４１は、集塵ユニット３４に接続され連通される集塵室接続口４６を有する。
【００４１】
バイパス接続管４２は、集塵室排気管４１から細塵フィルタ４８を介して分岐され集塵カップ３２を本体集塵室３１に挿脱させる方向に向けて開口される。また、バイパス接続管４２は、集塵カップ３２を本体集塵室３１に装着させた状態において本体ケース５に開口されたバイパス管接続口４９を介してバイパス管５１に連通される。
【００４２】
フィルタ取付部３７は、塵埃分離部３６と一体に形成された箱体部５３と、箱体部５３に嵌め込まれたプリーツフィルタ体５４と、箱体部５３に設けられたフィルタ洗浄風導入弁５５と、を備える。
【００４３】
箱体部５３は、本体集塵室３１に集塵カップ３２が装着された状態で隔壁２９に指向させて開口された箱状体である。
【００４４】
プリーツフィルタ体５４は、箱体部５３の開口に嵌め込まれる。
【００４５】
フィルタ洗浄風導入弁５５は、箱体部５３に開口されたフィルタ洗浄風導入口５６を開閉させる。フィルタ洗浄風導入口５６は、フィルタ取付部３７の内部を雰囲気に対して連通させる開口である。
【００４６】
塵埃分離部３６とフィルタ取付部３７との間は、揺動自在に軸支された弁駆動腕部５８を備える。弁駆動腕部５８は、掃除機本体２の前後方向に延びる回転軸を有し、扇形に形成された腕部５８ａと、腕部５８ａの円周部に形成されたギア５８ｂと、を備える。また、弁駆動腕部５８は、揺動範囲の一方端でフィルタ洗浄風導入弁５５を全閉させ、揺動範囲の他方端でフィルタ洗浄風導入弁５５を全開させる。さらに、弁駆動腕部５８は、リンク機構（図示省略）を介して導入管開閉弁４３に接続され揺動範囲の一方端で導入管開閉弁４３を全開させ、揺動範囲の他方端で導入管開閉弁４３を全閉させる。
【００４７】
本体ケース５は、弁駆動腕部５８の駆動源としての電動モータ（図示省略）と、電動モータの出力軸に接続された減速機構５９と、を備える。そして、本体集塵室３１に集塵カップ３２を装着させた状態において、弁駆動腕部５８のギア５８ｂは、減速機構５９に連結される。この状態で電動モータを駆動させると弁駆動腕部５８が揺動する。
【００４８】
本体ケース５の隔壁２９は、格子状に形成された複数の通気孔６１と、掃除機本体２の幅方向に延びた長手状の露出孔６２と、を有する。通気孔６１および露出孔６２は、本体集塵室３１に集塵カップ３２が装着された状態でプリーツフィルタ体５４を臨む。露出孔６２は、本体集塵室３１に指向させて突出された除塵子６４を備えた除塵機構（図示省略）の移動領域である。
【００４９】
除塵機構（図示省略）は、除塵子６４と、除塵子６４を掃除機本体２の幅方向に往復動させる往復動機構（図示省略）と、を備える。なお、往復動機構の駆動源は、弁駆動腕部５８の駆動源としての電動モータを用いても良く、別途に電動モータなどの駆動源を備えても良い。
【００５０】
除塵子６４は、本体集塵室３１に集塵カップ３２が装着された状態においてプリーツフィルタ体５４を加振可能に構成される。
【００５１】
図４は、本発明の実施形態に係る電気掃除機の塵埃分離部を示した斜視図である。
【００５２】
図４に示すように、電気掃除機１の塵埃分離部３６は、塵埃導入管３８と、略円筒状または略中空円錐台状に形成され塵埃導入管３８に連通された塵埃分離室胴部６６（塵埃分離室部）と、塵埃分離室胴部６６に連通され塵埃導入管３８に並設された塵埃廃棄管３９と、塵埃分離室胴部６６の円形の底面部６６ａに連通された分離室排気管６７（排気管部）と、分離室排気管６７に並設された集塵室排気管４１と、塵埃分離室胴部６６に連通された細塵戻し管６８（ろ過面洗浄風導入管部）と、を備える。
【００５３】
塵埃導入管３８は、角筒状に形成された管である。
【００５４】
塵埃分離室胴部６６は、塵埃導入管３８から案内された含塵空気を遠心分離し比較的に質量の大きい塵埃を塵埃廃棄管３９に導く。
【００５５】
また、塵埃分離室胴部６６は、側面部６６ｂに開口された細塵戻し口６９を介して細塵戻し管６８に連通される。塵埃分離室胴部６６は、細塵戻し口６９を開閉させる細塵戻し口開閉弁７１を備える。細塵戻し口開閉弁７１は一方弁であり細塵戻し管６８よりも塵埃分離室胴部６６側の圧力が高いとき細塵戻し口６９を閉じ、細塵戻し管６８よりも塵埃分離室胴部６６側の圧力が低いとき細塵戻し口６９を開く。
【００５６】
さらに、塵埃分離室胴部６６は、互いに対向させた略平坦な２つの内底面部６６ａ、６６ｃを有する。一方の底面部６６ａは、渦流通過口７２（排気口）を有する。塵埃分離室胴部６６と分離室排気管６７とは、渦流通過口７２を介して連通される。渦流通過口７２は、略円形の底面部６６ａの中心側に略同心円状に開口されメッシュフィルタ７３で閉じられる。メッシュフィルタ７３は略平坦なろ過面７３ａを有する網状のフィルタである。メッシュフィルタ７３は、塵埃分離室胴部６６の内部空間に臨むろ過面７３ａの裏面（図示省略）に設けられた保持部材（図示省略）によって渦流通過口７２に固定される。すなわち、塵埃分離室胴部６６は、従来の電気掃除機の塵埃分離室のように底面から突出させて形成された円錐状の立体型フィルタ部を備えていない。他方の底面部６６ｃは、着脱自在な分離室蓋７４を備える。なお、底面部６６ｃは、略平坦な内底面を有するものに限られず、突起のない滑らかな曲面形状の内底面を有するものでもよい。また、図４は、分離室蓋７４を取り外した状態を示した図である。
【００５７】
塵埃廃棄管３９は、塵埃分離室胴部６６で分離された比較的に質量の大きい塵埃を集塵ユニット３４に導く。
【００５８】
細塵戻し管６８は、塵埃分離室胴部６６をフィルタ取付部３７の内部に連通させる。
【００５９】
図５は、本発明の実施形態に係る電気掃除機の塵埃分離部を示した部分的な断面図である。
【００６０】
図５に示すように、電気掃除機１の塵埃分離部３６は、塵埃導入管３８と、塵埃分離室胴部６６と、塵埃廃棄管３９と、を備える。
【００６１】
塵埃導入管３８は、略円筒状または略中空円錐台状に形成された塵埃分離室胴部６６の側面部６６ｂの接線方向に指向させて接続される。
【００６２】
また、塵埃導入管３８は、側面部６６ｂに連続させて形成された第一内壁面３８ａと、第一内壁面３８ａに対向させて配置された第二内壁面３８ｂと、を有する。
【００６３】
第一内壁面３８ａは、側面部６６ｂの接線方向に指向させて延在される。他方、第二内壁面３８ｂは、その延長方向が塵埃分離室胴部６６の中心軸Ｃを通る（図５中二点鎖線）。これによって、塵埃分離部３６は、塵埃導入管３８流路断面積を極力大きく確保しつつ塵埃分離室胴部６６の内部に確実に旋回流を発生させることができる。
【００６４】
塵埃廃棄管３９は、塵埃導入管３８と同様に略円筒状または略中空円錐台状に形成された塵埃分離室胴部６６の側面部６６ｂの接線方向に指向させて接続される。
【００６５】
また、塵埃廃棄管３９は、塵埃導入管３８に並設される。これによって、塵埃分離部３６は、塵埃導入管３８から塵埃分離室胴部６６に導入された含塵空気に十分な旋回流を発生させるための流路長を容易に確保しつつ塵埃分離室胴部６６の直径を極力小さく構成できる。
【００６６】
塵埃分離室胴部６６は、互いに対向する略平坦な内底面部６６ａ、６６ｃを有する。これによって、塵埃分離室胴部６６は、その内部空間に従来の電気掃除機の立体型フィルタ部のような突出物を備えず、塵埃導入管３８から塵埃分離室胴部６６に流入する含塵空気が突出物に衝突することによって発生する風切り音などの騒音の発生が抑制され騒音の低減が図られる。また、塵埃分離室胴部６６は、その内部空間に突出物を備えないので、含塵空気に含まれる長い繊維状の塵埃が突出物に絡まったり、突出物の周囲の流れに流速が小さい部分や淀み部分が生じて粉状の比較的に質量の小さい塵埃が突出物に堆積しフィルタを目詰まらせて吸込効率を低下させるような問題を生じない。
【００６７】
塵埃分離室胴部６６の渦流通過口７２は、略円形の底面部６６ａの中心側に位置させて同心円状に開口される。渦流通過口７２は、メッシュフィルタ７３で閉じられるので、塵埃分離室胴部６６に案内された塵埃のうちメッシュフィルタ７３の網の目以上に大きい塵埃を通過させることがなく塵埃分離室胴部６６の内部で発生した旋回流の回転軸芯方向の圧力分布に対応させて塵埃分離室胴部６６の内部の空気（メッシュフィルタ７３の網の目よりも小さい塵埃を含む）を分離室排気管６７に導く。したがって、塵埃分離室胴部６６は、略円形の底面部６６ａの中心側に同心円状に開口された渦流通過口７２によって、旋回流の渦の中心部分から効率的に空気を排気できる。
【００６８】
また、渦流通過口７２は、底面部６６ａの略全面に亘って開口される。これによって、塵埃分離室胴部６６は、旋回流の渦の外側からも効率的に空気を排気できる。すなわち、塵埃分離室胴部６６は、旋回流を発生させた後の空気を塵埃分離室胴部６６の外部へ容易に排気できるので、従来の電気掃除機の立体型フィルタ部ように旋回流の渦の中心部のみから空気を排気させる場合に比べて圧力損失を十分に低減することができ吸込効率を向上させる。
【００６９】
塵埃分離室胴部６６の細塵戻し口６９は、塵埃分離室胴部６６に塵埃廃棄管３９が接続された部分に略対向させかつ内底面部６６ａ側に偏倚させて配置される。これによって、塵埃分離部３６は、電気掃除機１の除塵モード運転（除塵形態運転、詳しくは後述する。）においてフィルタ取付部３７のプリーツフィルタ体５４に捕集された塵埃（メッシュフィルタ７３の網の目よりも小さい塵埃を含む）を細塵戻し管６８から塵埃分離室胴部６６に案内し塵埃分離室胴部６６の内部空間を略直線的に移動させて塵埃廃棄管３９に導き集塵ユニット３４に再捕集させることができる。また、このときプリーツフィルタ体５４に捕集された塵埃を運搬する空気の流れは、底面部６６ａのメッシュフィルタ７３の表面に沿った流れ場を形成しメッシュフィルタ７３に付着した塵埃を細塵戻し口６９近傍から塵埃廃棄管３９近傍に向かって引きはがすようにして除塵する。これによって、塵埃分離部３６は、メッシュフィルタ７３が目詰まりすることを防ぎメッシュフィルタ７３の目詰まりにともなう吸込効率の低下を防止できる。
【００７０】
図６は、本発明の実施形態に係る電気掃除機のフィルタ取付部を示した斜視図である。なお、図６は、プリーツフィルタ体５４を省略して示した図である。
【００７１】
図６に示すように、電気掃除機１のフィルタ取付部３７は、分離室排気管６７を介して塵埃分離室胴部６６に連通され、集塵室排気管４１を介して集塵ユニット３４に連通され、細塵戻し管６８を介して塵埃分離室胴部６６に連通される。フィルタ取付部３７は、回動自在に軸支された流路切換弁７５を備える。
【００７２】
流路切換弁７５は、フィルタ取付部３７と分離室排気管６７とを連通させる分離室接続口７６の開口面積を変化させるとともに、フィルタ取付部３７と集塵室排気管４１とを連通させる集塵室接続口７７を開閉させる。具体的には、流路切換弁７５は、分離室接続口７６の開口面積を絞りかつ集塵室接続口７７を全閉させる閉じ位置と、分離室接続口７６および集塵室接続口７７を全開させる開き位置との間で回動自在に軸支される。流路切換弁７５は、閉じ位置において分離室接続口７６の開口面積を絞るオリフィス７５ａを備える。
【００７３】
なお、流路切換弁７５の回転軸は、弁駆動腕部５８の回転軸に連結され、弁駆動腕部５８の揺動に連動させて流路切換弁７５も揺動され開閉される。そして、流路切換弁７５は、弁駆動腕部５８の揺動範囲の一方端で開き位置に移動され、揺動範囲の他方端で閉じ位置に移動される。
【００７４】
図７は、本発明の実施形態に係る電気掃除機のフィルタ取付部を示した斜視図である。なお、図７は、流路切換弁７５が閉じた状態を示した図である。
【００７５】
図７に示すように、電気掃除機１のプリーツフィルタ体５４は、箱体部５３の開口に着脱自在に嵌め込まれたフィルタ枠部７９と、フィルタ枠部７９に保持されたプリーツフィルタ８１（二次フィルタ）と、を備える。
【００７６】
プリーツフィルタ８１は、複数の山部と複数の谷部とを交互に形成されたプリーツ形状により投影面積に比べて表面積を増加させた細塵捕集用のフィルタである。プリーツフィルタ体５４が箱体部５３の開口に嵌め込まれた状態において、プリーツフィルタ８１は、山部と谷部とを箱体部５３のフィルタ洗浄風導入口５６の開口方向に指向させて配置される。また、この状態においてフィルタ洗浄風導入口５６は、プリーツフィルタ８１のろ過面を臨み、フィルタ取付部３７の内部空間であってプリーツフィルタ８１の上流側と外部とを連通させる。
【００７７】
図８は、本発明の実施形態に係る電気掃除機の集塵ユニットを示した斜視図である。なお、図８は、集塵ユニットを開蓋させた状態を示した図である。
【００７８】
図８に示すように、電気掃除機１の集塵ユニット３４は、塵埃分離ユニット３３で分離された塵埃を捕集する捕集部８３と、捕集部８３に揺動自在に軸支された集塵部蓋体８４と、を備える。集塵ユニット３４は、捕集部８３の開口８３ａを集塵部蓋体８４で閉蓋させ集塵室８５を区画する。なお、集塵ユニット３４は、爪部（図示省略）を有する係止機構（図示省略）を備え、塵埃分離ユニット３３に着脱自在に装着される。
【００７９】
集塵部蓋体８４は、分離室接続口８７および排気管接続口８８を有する板状の蓋部本体８９と、排気管接続口８８を閉じるネットフィルタ９１と、を備える。
【００８０】
分離室接続口８７は、塵埃分離ユニット３３に集塵ユニット３４を装着させた状態において塵埃廃棄口４５に接続される。
【００８１】
排気管接続口８８は、塵埃分離ユニット３３に集塵ユニット３４を装着させた状態において集塵室接続口４６に接続される。
【００８２】
集塵室８５は、塵埃分離室胴部６６から塵埃廃棄管３９を介して集塵ユニット３４に案内された比較的に質量の大きい塵埃、例えば綿ごみなどの塵埃を捕集する。
【００８３】
このように構成された電気掃除機１は、管部３から被掃除面上の塵埃を吸い込んで清掃を行う掃除モード運転（掃除形態運転）と、メッシュフィルタ７３およびプリーツフィルタ８１の除塵を行う除塵モード運転（除塵形態運転）と、の２つの運転モードを有する。それぞれの運転モードは、掃除機本体２の内部の空気流路の接続関係を変更させることで切り換えられる。
【００８４】
図９は、本発明の実施形態に係る電気掃除機の掃除モード運転における掃除機本体の空気流路の構成を模式的に示した図である。なお、図９は、説明を容易にするため空気流路の接続関係を切り換える各弁の弁体の開閉動作を模式的に示したものである。
【００８５】
図９に示すように、電気掃除機１の掃除機本体２は、集塵カップ３２と、集塵カップ３２のフィルタ取付部３７に接続される電動送風機前室９３と、プリーツフィルタ体５４を迂回させて集塵カップ３２のバイパス接続管４２と電動送風機前室９３との間を接続させるバイパス管５１と、を備える。
【００８６】
電動送風機前室９３は、プリーツフィルタ体５４を通じて集塵カップ３２と電動送風機７とを連通させる集塵流路接続口９４を有し、集塵流路接続口９４を開閉させる集塵流路開閉弁９５と、電動送風機前室９３とバイパス管５１との間の流路を開閉させる除塵流路開閉弁９６と、を備える。
【００８７】
集塵流路開閉弁９５および除塵流路開閉弁９６は、弁駆動腕部５８の駆動源としての電動モータによって弁駆動腕部５８とともに駆動される。また、集塵流路開閉弁９５および除塵流路開閉弁９６は、一方が全閉した状態において他方が全開した状態となるよう構成される。そして、集塵流路開閉弁９５および除塵流路開閉弁９６は、電動モータによって弁駆動腕部５８を揺動範囲の一方端に揺動させたとき集塵流路開閉弁９５が開かれかつ除塵流路開閉弁９６が閉じ、電動モータによって弁駆動腕部５８を揺動範囲の他方端に揺動させたとき集塵流路開閉弁９５が閉じられかつ除塵流路開閉弁９６が開かれる。
【００８８】
バイパス管５１は、バイパス管５１とバイパス接続管４２との間の流路を開閉させる除塵流路逆止弁９７を備える。除塵流路逆止弁９７は一方弁であり、集塵室排気管４１よりもバイパス管５１側の圧力が高いときバイパス管５１とバイパス接続管４２との間の流路を閉じ、集塵室排気管４１よりもバイパス管５１側の圧力が低いときバイパス管５１とバイパス接続管４２との間の流路を開く。
【００８９】
そして、電気掃除機１の掃除機本体２は、電動モータによって弁駆動腕部５８を揺動範囲の一方端に揺動させたとき、塵埃導入管３８の流路を導入管開閉弁４３によって開き、フィルタ取付部３７と分離室排気管６７とを連通させる分離室接続口７６およびフィルタ取付部３７と集塵室排気管４１とを連通させる集塵室接続口７７を流路切換弁７５によって開き、フィルタ洗浄風導入口５６をフィルタ洗浄風導入弁５５によって閉じ、集塵流路接続口９４を集塵流路開閉弁９５によって開き、電動送風機前室９３とバイパス管５１との間の流路を除塵流路開閉弁９６によって閉じる。
【００９０】
この状態で電動送風機７を駆動させると、掃除機本体２は、本体接続口１５から塵埃導入管３８と塵埃分離室胴部６６と塵埃廃棄管３９と集塵ユニット３４と集塵室排気管４１とプリーツフィルタ体５４と電動送風機前室９３とを順次に経て電動送風機７に吸い込まれ本体ケース５の本体排気口９９に至る第一集塵流路Ｗ１ａと、塵埃分離室胴部６６で第一集塵流路Ｗ１ａから分流されメッシュフィルタ７３と分離室排気管６７とを順次に経てプリーツフィルタ体５４の上流で第一集塵流路Ｗ１ａに合流する第二集塵流路Ｗ１ｂと、を有する集塵流路Ｗ１を形成する。
【００９１】
なお、このとき、細塵戻し口開閉弁７１および除塵流路逆止弁９７は、それぞれの弁に作用する圧力差によって閉じられる。
【００９２】
図１０は、本発明の実施形態に係る電気掃除機の除塵モード運転における掃除機本体の空気流路の構成を模式的に示した図である。なお、図１０は、説明を容易にするため空気流路の接続関係を切り換える各弁の弁体の開閉動作を模式的に示したものである。
【００９３】
他方、図１０に示すように、電気掃除機１の掃除機本体２は、電動モータによって弁駆動腕部５８を揺動範囲の他方端に揺動させたとき、塵埃導入管３８の流路を導入管開閉弁４３によって閉じ、フィルタ取付部３７と分離室排気管６７とを連通させる分離室接続口７６の開口面積を流路切換弁７５によって絞り、フィルタ取付部３７と集塵室排気管４１とを連通させる集塵室接続口７７を流路切換弁７５によって閉じ、フィルタ洗浄風導入口５６をフィルタ洗浄風導入弁５５によって開き、集塵流路接続口９４を集塵流路開閉弁９５によって閉じ、電動送風機前室９３とバイパス管５１との間の流路を除塵流路開閉弁９６によって開く。
【００９４】
この状態で電動送風機７を駆動させると、掃除機本体２は、フィルタ洗浄風導入口５６からプリーツフィルタ体５４の上流と細塵戻し管６８と塵埃分離室胴部６６と塵埃廃棄管３９と集塵ユニット３４と集塵室排気管４１とバイパス接続管４２とバイパス管５１と電動送風機前室９３とを順次に経て電動送風機７に吸い込まれ本体ケース５の本体排気口９９に至る第一除塵流路Ｗ２ａと、プリーツフィルタ体５４の上流で第一除塵流路Ｗ２ａから分流され分離室排気管６７とメッシュフィルタ７３とを順次に経て塵埃分離室胴部６６で第一除塵流路Ｗ２ａに合流する第二除塵流路Ｗ２ｂと、を有する除塵流路Ｗ２を形成する。
【００９５】
なお、このとき、細塵戻し口開閉弁７１および除塵流路逆止弁９７は、それぞれの弁に作用する圧力差によって開かれる。
【００９６】
次に、本実施形態に係る電気掃除機１の動作を説明する。
【００９７】
電気掃除機１のユーザは、先ず、掃除機本体２に管部３、すなわち集塵ホース２１と延長管２５と吸込口体２６とを適宜の順序で接続する。
【００９８】
次に、掃除機本体２から電源コード９を引き出し、商用電源を供給するコンセント（図示省略）に電源プラグ１７を接続する。
【００９９】
次に、電気掃除機１のユーザは、把持部２３を把持して起動スイッチ２４ｂを操作する。
【０１００】
そうすると、電気掃除機１は、電動モータを駆動させ弁駆動腕部５８を揺動範囲の一方端に揺動させる。これによって、掃除機本体２は、集塵流路Ｗ１を連通させ除塵流路Ｗ２を遮断させる。この後、制御部８は、起動スイッチ２４ｂで設定された動作モードに従い電動送風機７を駆動させる。電動送風機７を駆動させると、掃除機本体２と管部３に負圧が生じ電気掃除機１は吸込口体２６の吸込口（図示省略）から空気を吸い込む。
【０１０１】
次いで、電気掃除機１のユーザは、把持部２３を把持したまま手元操作管２２および延長管２５を前後に往復動させる。そうすると、吸込口体２６は、被掃除面上を前後に往復走行しつつ空気とともに被掃除面の塵埃を吸込口体２６に吸い込む。
【０１０２】
吸込口体２６に吸い込まれた含塵空気は、延長管２５、手元操作管２２および集塵ホース２１と順次に通過した後、掃除機本体２に案内される。
【０１０３】
掃除機本体２に案内された含塵空気は、集塵カップ３２に吸い込まれ塵埃導入管３８から塵埃分離室胴部６６に至る（図９）。
【０１０４】
塵埃分離室胴部６６は、比較的に質量が大きい塵埃（粗塵）を遠心分離し塵埃廃棄管３９を介して集塵ユニット３４に案内する。集塵ユニット３４に案内された粗塵は集塵室８５に捕集される。そして、集塵ユニット３４に案内された粗塵は、集塵室８５に捕集され集塵ユニット３４を通過する空気の流れによって圧縮される。
【０１０５】
他方、粗塵を運搬した空気は、ネットフィルタ９１の網の目を通過し排気管接続口８８から集塵室排気管４１を通ってプリーツフィルタ体５４の上流に至る。（第一集塵流路Ｗ１ａ）。
【０１０６】
一方、塵埃分離室胴部６６は、含塵空気に含まれる空気の一部をメッシュフィルタ７３の網の目から分離室排気管６７を介してプリーツフィルタ体５４の上流に案内する。（第二集塵流路Ｗ１ｂ）。
【０１０７】
第一集塵流路Ｗ１ａおよび第二集塵流路Ｗ１ｂによってプリーツフィルタ体５４の上流に案内された空気は、ネットフィルタ９１またはメッシュフィルタ７３の網の目を通過した微細な粉状の塵埃（細塵）を含む。この細塵は、プリーツフィルタ体５４のプリーツフィルタ８１によって捕集される。そして細塵が捕集された空気は、プリーツフィルタ８１を通過し電動送風機前室９３を通って電動送風機７に吸い込まれ本体排気口９９から排気される。
【０１０８】
このようにして電気掃除機１は、吸込口体２６から吸い込んだ塵埃を捕集する。
【０１０９】
掃除が終了すると電気掃除機１のユーザは、停止スイッチ２４ａを操作する。
【０１１０】
そうすると、電気掃除機１は、一旦、電動送風機７の駆動を停止させ集塵流路Ｗ１の流速が十分縫い小さくなった後、電動モータを駆動させ弁駆動腕部５８を揺動範囲の他方端に揺動させる。これによって、掃除機本体２は、集塵流路Ｗ１を遮断させ除塵流路Ｗ２を連通させる。このとき、電動モータの駆動によって除塵子６４は、プリーツフィルタ８１の山部と谷部とに交差する方向（ここでは掃除機本体２の幅方向）に往復動作しプリーツフィルタ８１の谷部を順次に弾きプリーツフィルタ８１に捕集された細塵をプリーツフィルタ８１から剥がす。この後、制御部８は、再度、電動送風機７を駆動させる。電動送風機７を駆動させると、掃除機本体２に負圧が生じ電気掃除機１は集塵カップ３２のフィルタ洗浄風導入口５６から空気を吸い込む（図１０）。
【０１１１】
フィルタ洗浄風導入口５６から吸い込まれた空気は、プリーツフィルタ体５４の上流に流れ込み山部および谷部が延びる方向にプリーツフィルタ８１のろ過面に吹き付けられ細塵戻し管６８を通って塵埃分離室胴部６６に案内される。このとき、除塵子６４によってプリーツフィルタ８１のろ過面から剥離された細塵は、除塵流路Ｗ２の流れによって空気とともに塵埃分離室胴部６６に案内される。（第一除塵流路Ｗ２ａ）。
【０１１２】
また、フィルタ洗浄風導入口５６から吸い込まれた空気は、プリーツフィルタ８１のろ過面に吹き付けられた後に分流され分離室排気管６７を通ってメッシュフィルタ７３の裏面からろ過面７３ａに向かって塵埃分離室胴部６６に案内される。このとき、メッシュフィルタ７３の裏面からろ過面７３ａに向かう空気の流れによってろ過面７３ａに付着した塵埃はろ過面７３ａから浮き上げられる。（第二除塵流路Ｗ２ｂ）。
【０１１３】
第一除塵流路Ｗ２ａによって塵埃分離室胴部６６に案内された細塵を含む空気は、メッシュフィルタ７３のろ過面７３ａに沿って塵埃廃棄管３９に向かって流れる。このとき、この空気は、第二除塵流路Ｗ２ｂによってろ過面７３ａから浮き上げられた塵埃をろ過面７３ａから引き剥がすように流れつつ第二除塵流路Ｗ２ｂによって塵埃分離室胴部６６に案内された空気に合流する。
【０１１４】
この後、プリーツフィルタ８１のろ過面から剥離された細塵およびメッシュフィルタ７３のろ過面７３ａから引き剥がされた塵埃を含む空気は、塵埃廃棄管３９を通って集塵ユニット３４に案内される。そして、この空気に含まれた細塵および塵埃は、集塵室８５に捕集され圧縮された粗塵によって捕集される。細塵および粗塵が分離された空気は、ネットフィルタ９１の網の目を通過し排気管接続口８８から集塵室排気管４１とバイパス接続管４２とバイパス管５１と電動送風機前室９３とを順次に経て電動送風機７に吸い込まれ本体排気口９９から排気される。
【０１１５】
そして、電気掃除機１は、停止スイッチ２４ａの操作から所定の時間が経過しプリーツフィルタ８１のろ過面およびメッシュフィルタ７３のろ過面７３ａに付着した塵埃が除去されると電動送風機７を停止させる。
【０１１６】
このようにして電気掃除機１は、プリーツフィルタ８１のろ過面およびメッシュフィルタ７３のろ過面７３ａに付着した塵埃を除塵し集塵室８５に捕集する。
【０１１７】
本実施形態に係る電気掃除機１によれば、塵埃分離室胴部６６の内部空間に従来の電気掃除機の立体型フィルタ部のような突出物を備えることなく、塵埃分離室胴部６６に流入する含塵空気が突出物に衝突することによって発生する風切り音などの騒音の発生が抑制され騒音の低減が図られる。
【０１１８】
また、本実施形態に係る電気掃除機１によれば、塵埃分離室胴部６６の内部空間に突出物を備えないので、含塵空気に含まれる長い繊維状の塵埃が突出物に絡まったり、突出物の周囲の流れに流速が小さい部分や淀み部分が生じて粉状の比較的に質量の小さい塵埃が突出物に堆積しフィルタを目詰まらせて吸込効率を低下させるような問題を生じない。
【０１１９】
さらに、本実施形態に係る電気掃除機１によれば、塵埃分離室胴部６６の内部空間に従来の電気掃除機の立体型フィルタ部のような突出物を備えることなくかつ塵埃分離室胴部６６に極力大きな流路断面積を有する塵埃導入管３８を接続できるので、塵埃分離室胴部６６の上流側の流路断面積を極力大きく確保し吸込効率を向上させることができるとともに塵埃分離室胴部６６の内部に確実に旋回流を発生させることができる。
【０１２０】
さらにまた、本実施形態に係る電気掃除機１によれば、塵埃導入管３８と塵埃廃棄管３９とを並設できるので、塵埃分離室胴部６６に案内された含塵空気に十分な旋回流を発生させるための流路長を容易に確保しつつ塵埃分離室胴部６６の直径を極力小さく構成できる。
【０１２１】
また、本実施形態に係る電気掃除機１によれば、略円形な塵埃分離室胴部６６の底面部６６ａの中心側に位置させて渦流通過口７２を同心円状に開口できるので、塵埃分離室胴部６６の内部に発生させた旋回流の回転軸芯方向の圧力分布に対応させて塵埃分離室胴部６６の内部の空気を旋回流の渦の中心部分から効率的に分離室排気管６７に排気できる。
【０１２２】
さらに、本実施形態に係る電気掃除機１によれば、渦流通過口７２を塵埃分離室胴部６６の底面部６６ａの略全面に亘って開口できるので、旋回流の渦の外側からも効率的に空気を排気できる。これによって、電気掃除機１は、旋回流を発生させた後の空気を塵埃分離室胴部６６の外部へ容易に排気し、従来の電気掃除機の分離室部に比べて圧力損失を十分に低減させることができ吸込効率を向上できる。
【０１２３】
さらにまた、本実施形態に係る電気掃除機１によれば、塵埃分離室胴部６６の底面部６６ａのメッシュフィルタ７３の表面に沿った流れ場を形成しメッシュフィルタ７３に付着した塵埃を細塵戻し口６９近傍から塵埃廃棄管３９近傍に向かって引きはがすようにして除塵できる。これによって、電気掃除機１は、メッシュフィルタ７３が目詰まりすることを防ぎメッシュフィルタ７３の目詰まりにともなう吸込効率の低下を防止できる。
【０１２４】
また、本実施形態に係る電気掃除機１によれば、塵埃分離室胴部６６に加えて二次フィルタとしてのプリーツフィルタ８１を備え、プリーツフィルタ８１およびメッシュフィルタ７３の除塵を容易に行うことができ、フィルタの目詰まりにともなう吸込効率の低下をより効率的に防止できる。
【０１２５】
したがって、本発明の実施形態に係る電気掃除機１によれば、導入された塵埃が巻き付くことなく、騒音の発生および使用の経過にともなう吸込効率の低下が抑制された塵埃分離室胴部６６を備える。
【０１２６】
なお、本発明に係る電気掃除機１は、キャニスタ型の電気掃除機１に限らず、アップライト型、スティック型、ハンディ型あるいは自律型などの電気掃除機１であってもよい。
【符号の説明】
【０１２７】
１  電気掃除機
２  掃除機本体
３  管部
５  本体ケース
６  車輪
７  電動送風機
８  制御部
９  電源コード
１１  下ケース
１２  上ケース
１３  本体蓋
１５  本体接続口
１６  回転部
１７  電源プラグ
１９  接続管
２１  集塵ホース
２２  手元操作管
２２  手元操作管
２３  把持部
２４  操作部
２４ａ  停止スイッチ
２４ｂ  起動スイッチ
２５  延長管
２６  吸込口体
２９  隔壁
３１  本体集塵室
３２  集塵カップ
３３  塵埃分離ユニット
３４  集塵ユニット
３６  塵埃分離部
３７  フィルタ取付部
３７  フィルタ取付部
３８  塵埃導入管
３８ａ  第一内壁面
３８ｂ  第二内壁面
３９  塵埃廃棄管
４１  集塵室排気管
４２  バイパス接続管
４３  導入管開閉弁
４５  塵埃廃棄口
４６  集塵室接続口
４８  細塵フィルタ
４９  バイパス管接続口
５１  バイパス管
５３  箱体部
５４  プリーツフィルタ体
５５  フィルタ洗浄風導入弁
５６  フィルタ洗浄風導入口
５８  弁駆動腕部
５８ａ  腕部
５８ｂ  ギア
５９  減速機構
６１  通気孔
６２  露出孔
６４  除塵子
６６  塵埃分離室胴部
６６ａ  底面部
６６ｂ  側面部
６６ｃ  底面部
６７  分離室排気管
６８  細塵戻し管
６９  細塵戻し口
７１  細塵戻し口開閉弁
７２  渦流通過口
７３  メッシュフィルタ
７３ａ  ろ過面
７４  分離室蓋
７５  流路切換弁
７５ａ  オリフィス
７６  分離室接続口
７７  集塵室接続口
７９  フィルタ枠部
８１  プリーツフィルタ
８３  捕集部
８３ａ  開口
８４  集塵部蓋体
８５  集塵室
８７  分離室接続口
８８  排気管接続口
８９  蓋部本体
９１  ネットフィルタ
９３  電動送風機前室
９４  集塵流路接続口
９５  集塵流路開閉弁
９６  除塵流路開閉弁
９７  除塵流路逆止弁
９９  本体排気口
【図１】
2011036377.tif 000003
【図２】
2011036377.tif 000004
【図３】
2011036377.tif 000005
【図４】
2011036377.tif 000006
【図５】
2011036377.tif 000007
【図６】
2011036377.tif 000008
【図７】
2011036377.tif 000009
【図８】
2011036377.tif 000010
【図９】
2011036377.tif 000011
【図１０】
2011036377.tif 000012